(57)【特許請求の範囲】
【請求項１】
使用者の操作を受け付け、表示を行う操作パネルと、
それぞれの原稿搬送装置に固有に割り当てられた固有情報を記憶し、読み取り位置に向けてセットされた原稿を搬送する原稿搬送装置と、
前記原稿搬送装置が搬送する原稿を読み取って画像データを生成する画像読取部と、
前記原稿搬送装置と通信を行い、前記原稿搬送装置が記憶する固有情報に基づき取り付けられている前記原稿搬送装置を認識し、取り付けられた前記原稿搬送装置の前記固有情報と前記原稿搬送装置の使用回数を示すカウント値を含む管理情報を記憶する制御部と、
通信可能に接続された記憶装置と通信するための通信インターフェイス部と、を備え、
前記制御部は、予め定められた管理情報送信時に前記記憶装置に向けて前記管理情報を前記通信インターフェイス部に送信させ、前記原稿搬送装置の交換を認識したとき、又は、前記操作パネルに前記カウント値の書き換えの指示が入力されたとき、前記記憶装置から取り付けられている前記原稿搬送装置の前記固有情報に対応する前記管理情報を前記通信インターフェイス部に取得させ、記憶している前記カウント値を前記通信インターフェイス部が取得した前記固有情報に含まれる前記カウント値に書き換えることを特徴とする画像形成装置。
【請求項２】
前記カウント値の書き換えがなされたとき、
前記操作パネルは、書き換え後の前記カウント値に基づき、取り付けられている前記原稿搬送装置の使用回数と寿命に関する情報を表示することを特徴とする請求項１に記載の画像形成装置。
【請求項３】
前記管理情報には、取り付けられている画像形成装置の仕様情報が含まれ、
前記操作パネルは、寿命に関する情報を含む報知画面を表示し、
前記原稿搬送装置の交換を認識したとき、前記制御部は、取得した前記固有情報に含まれる前記仕様情報に基づき、前に前記原稿搬送装置が取り付けられていた画像形成装置の仕様と、現在、前記原稿搬送装置が取り付けられている画像形成装置の仕様を前記報知画面内に表示させることを特徴とする請求項１又は２に記載の画像形成装置。
【請求項４】
前記制御部は、前記仕様情報に基づき、前に前記原稿搬送装置が取り付けられていた画像形成装置と、前記原稿搬送装置が取り付けられている現在の画像形成装置の仕様のうち、差異の部分を前記操作パネルに強調表示させることを特徴とする請求項３に記載の画像形成装置。
【請求項５】
前記原稿搬送装置の使用回数と寿命に関する情報を含む報知画面の表示指示を前記操作パネルが受け付けたとき、
前記操作パネルは、前記制御部に記憶される前記カウント値に基づき前記報知画面を表示することを特徴とする請求項１乃至４のいずれか１項に記載の画像形成装置。
【請求項６】
前記通信インターフェイス部は、ネットワークを介して前記記憶装置としての管理サーバーと通信する通信部であり、
ネットワークを介して前記管理サーバーと通信可能である場合、
前記制御部は、前記管理情報送信時に、前記管理サーバーに向けて前記管理情報を前記通信部に送信させ、前記原稿搬送装置の交換を認識したとき、又は、前記操作パネルに前記カウント値の書き換えの指示が入力されたとき、前記管理サーバーに記憶されている前記管理情報であって取り付けられている前記原稿搬送装置に対応する前記管理情報を前記通信部に取得させ、記憶している前記カウント値を前記通信部が取得した前記管理情報に含まれる前記カウント値に書き換えることを特徴とする請求項１乃至５のいずれか１項に記載の画像形成装置。
【請求項７】
前記通信インターフェイス部は、前記記憶装置としての携帯型記憶媒体が差し込まれる接続部であり、
前記制御部は、前記管理情報の前記携帯型記憶媒体への書き込み指示が前記操作パネルに入力されたとき、前記接続部に接続された前記携帯型記憶媒体への前記管理情報の書き込みを前記接続部に行わせ、前記原稿搬送装置の交換を認識したとき、又は、前記操作パネルに前記カウント値の書き換えの指示が入力されたとき、前記接続部に接続された前記携帯型記憶媒体からの前記管理情報の読み出しを前記接続部に行わせ、記憶している前記カウント値を前記接続部が読み出した前記管理情報に含まれる前記カウント値に書き換えることを特徴とする請求項１乃至６のいずれか１項に記載の画像形成装置。
【発明の詳細な説明】
【技術分野】
【０００１】
本発明は読み取り位置に原稿を搬送する原稿搬送装置を備える画像形成装置に関する。
【背景技術】
【０００２】
複合機、複写機、プリンター、ファクシミリ装置のような画像形成装置では、部品を交換すべき時期か否かを、搭載される部品の使用回数に基づき判断することがある。また、各画像形成装置の使用状況の管理や部品交換時期の顧客への通知のため、サーバーに各画像形成装置の部品のカウンタ情報を集めることがある。
【０００３】
カウンタ情報を各画像形成装置から集める技術の一例が特許文献１に記載されている。具体的に、特許文献１には、定期的な部品カウンタ送信に加え、デバイス装置１−１（プリンター）での部品交換をトリガーとして部品交換時のカウンタ情報をサーバー装置に直接送信するデバイス装置と、部品交換時のカウンタ情報と定期的な部品カウンタ情報とを合わせて管理するサーバー装置１−５からなる部品カウンタ管理システムが記載されている。この構成により、従来の定期送信のみによる部品カウンタ通知と比較し、部品交換時のデバイス装置のカウンタ情報をタイムラグなしに管理サーバー側で入手しようとする（特許文献１：請求項１、明細書段落［０００３］、要約等参照）。
【先行技術文献】
【特許文献】
【０００４】
【特許文献１】特開２００８−１５２６４９号公報
【発明の概要】
【発明が解決しようとする課題】
【０００５】
画像形成装置には、読み取り位置にセットされた原稿を一枚ずつ自動的に搬送する原稿搬送装置が取り付けられることがある。原稿搬送装置は、「ＡＤＦ」、「ＤＰ」と称されることもある。
【０００６】
そして、交換時期が来ているか否かを確認するため、原稿搬送装置の使用回数をカウント（積算）することがある。そして、原稿搬送装置のカウント値を原稿搬送装置に記憶させず、エンジン基板のような画像形成装置の本体内に設けられた基板の不揮発メモリーに記憶させることがある。
【０００７】
原稿搬送装置はオプション装置として提供されることがある。また、故障や寿命により原稿搬送装置を交換することもある。また、原稿搬送装置は、画像形成装置の本体に対し、着脱可能となっている。そのため、原稿搬送装置の付け替えが行われることがある。例えば、もともと取り付けられていた原稿搬送装置から、中古で入手した原稿搬送装置への交換が使用者により行われる場合がある。また、今まで使用していた画像形成装置の原稿搬送装置を、新たに購入した画像形成装置に取り付けることもあり得る。
【０００８】
カウント値は原稿搬送装置が今まで取り付けられていた（交換前の）画像形成装置の本体内の基板に記憶されている。そのため、交換により別の画像形成装置に原稿搬送装置を取り付けられたとき、今までのカウント値を新たに取り付けた画像形成装置に移せないという問題がある。
【０００９】
また、原稿搬送装置のカウント値を記憶する画像形成装置内の基板が交換されたとき、原稿搬送装置のカウント値が失われる。交換後の基板は、原稿搬送装置のカウント値の積算をゼロから始める。取り付けられた原稿搬送装置が新品ではないのに、原稿搬送装置のカウント値の積算がゼロから始まると、原稿搬送装置の適切な交換時期を使用者に通知できない。
【００１０】
特許文献１には、デバイス装置（プリンター）のうち、どのような部品を交換するかの記載は無い。また、特許文献１に記載の技術は、中央管理装置（サーバー）へのカウント情報の効率的な収集を目的としている。そのため、新品でない部品が取り付けられたときや、基板交換により画像形成装置から原稿搬送装置のカウント値が失われたときに対応するための手法も記載されていない。従って、特許文献１記載の技術では、上記の問題を解決することはできない。
【００１１】
本発明は、上記従来技術の問題点に鑑み、原稿搬送装置の交換や原稿搬送装置のカウント値を記憶する基板の交換があっても、現在取り付けられている原稿搬送装置に対応するカウント値を画像形成装置に保持させる。
【課題を解決するための手段】
【００１２】
上記目的を達成するために、請求項１に係る画像形成装置は、操作パネル、原稿搬送装置、画像読取部、制御部、通信インターフェイス部を含む。前記操作パネルは、使用者の操作を受け付け、表示を行う。前記原稿搬送装置は、それぞれの原稿搬送装置に固有に割り当てられた固有情報を記憶し、読み取り位置に向けてセットされた原稿を搬送する。前記画像読取部は、前記原稿搬送装置が搬送する原稿を読み取って画像データを生成する。前記制御部は、前記原稿搬送装置と通信を行い、前記原稿搬送装置が記憶する固有情報に基づき取り付けられている前記原稿搬送装置を認識し、取り付けられた前記原稿搬送装置の前記固有情報と前記原稿搬送装置の使用回数を示すカウント値を含む管理情報を記憶する。前記通信インターフェイス部は、通信可能に接続された記憶装置と通信する。前記制御部は、予め定められた管理情報送信時に前記記憶装置に向けて前記管理情報を前記通信インターフェイス部に送信させ、前記原稿搬送装置の交換を認識したとき、又は、前記操作パネルに前記カウント値の書き換えの指示が入力されたとき、前記記憶装置から取り付けられている前記原稿搬送装置の前記固有情報に対応する前記管理情報を前記通信インターフェイス部に取得させ、記憶している前記カウント値を前記通信インターフェイス部が取得した前記固有情報に含まれる前記カウント値に書き換える。
【発明の効果】
【００１３】
本発明によれば、画像形成装置の原稿搬送装置への交換や、原稿搬送装置のカウント値を記憶する基板の交換があっても、現在取り付けられている原稿搬送装置の正しいカウント値を基板に記憶させることができる。言い換えると、実際に取り付けられている原稿搬送装置に対応する正しいカウント値を画像形成装置に保持させることができる。
【図面の簡単な説明】
【００１４】
【図１】実施形態に係る複合機の一例を示す図である。
【図２】実施形態に係る複合機の原稿読み取りに関する部分の一例を示す図である。
【図３】実施形態に係る複合機の原稿読み取りに関する部分の一例を示す図である。
【図４】実施形態に係る原稿搬送装置の識別の流れの一例を示すフローチャートである。
【図５】実施形態に係るエンジンメモリーに記憶される原稿搬送装置のカウント値の更新の流れの一例を示すフローチャートである。
【図６】実施形態に係る複合機での管理情報のやりとりの概要を示す図である。
【図７】実施形態に係る複合機による管理サーバーへの管理情報の送信の流れの一例を示すフローチャートである。
【図８】実施形態に係る複合機による管理サーバーからの管理情報の取得の流れの一例を示すフローチャートである。
【図９】実施形態に係る報知画面の一例を示す図である。
【図１０】実施形態に係る複合機による携帯型記憶媒体への管理情報の書き込みの流れの一例を示すフローチャートである。
【図１１】実施形態に係る複合機による携帯型記憶媒体から管理情報の読み出しの流れの一例を示すフローチャートである。
【発明を実施するための形態】
【００１５】
以下、図１〜図１１を用い、実施形態に係る複合機１００（画像形成装置に相当）を説明する。本実施の形態に記載されている構成、配置等の各要素は、発明の範囲を限定せず、単なる説明例にすぎない。
【００１６】
（画像形成装置の概要）
まず、図１に基づき、実施形態に係る複合機１００の概要を説明する。図１は、実施形態に係る複合機１００の一例を示す図である。
【００１７】
複合機１００は、主制御部１と記憶部１０を含む。主制御部１は、装置全体の動作を統括し複合機１００の各部を制御する。主制御部１は、演算、制御を行うメインＣＰＵ１１と、印刷に必要な画像処理を画像データに施す画像処理部１２を含む。記憶部１０はＲＯＭ、ＲＡＭ、ＨＤＤのような記憶装置を含み、制御用プログラムやデータを記憶する。また、主制御部１は、原稿搬送装置２、画像読取部３と通信可能に接続される。原稿搬送装置２、画像読取部３の詳細は後述する。
【００１８】
主制御部１は、操作パネル４と通信可能に接続される。操作パネル４は、表示パネル４１、タッチパネル部４２、スタートキーのような設定用のハードキー４３を含む。表示パネル４１は、ソフトキーやボタンのような操作画像、設定画面のような各種画面、メッセージなどを表示する。タッチパネル部４２の出力に基づき、操作された操作画像が認識される。主制御部１は、操作パネル４でなされた使用者の設定どおりに動作するように複合機１００を制御する。
【００１９】
又、複合機１００は、印刷部５を含む。印刷部５は、エンジン制御部５０（エンジン基板）、給紙部５ａ、搬送部５ｂ、画像形成部５ｃ、定着部５ｄを含む。エンジン制御部５０は、エンジンＣＰＵ５１、エンジンメモリー５２を含む。エンジンメモリー５２は、印刷部５の動作制御に用いるデータ、プログラムを記憶する。そして、エンジン制御部５０と主制御部１は通信可能に接続される。主制御部１は、印刷指示、印刷ジョブの内容、印刷に用いる画像データをエンジン制御部５０に与える。
【００２０】
エンジン制御部５０は、原稿搬送装置２と通信可能に接続される。また、エンジン制御部５０は、主制御部１の指示に基づき原稿搬送装置２の動作を制御する。具体的に、エンジン制御部５０は、原稿の給紙、原稿搬送のような原稿搬送関連処理を制御する。また、エンジン制御部５０は、主制御部１の指示に基づき、給紙部５ａ、搬送部５ｂ、画像形成部５ｃ、定着部５ｄの動作を制御し、給紙、用紙搬送、トナー像の形成、転写、定着のような印刷関連処理を実際に制御する。エンジン制御部５０は、用紙を一枚ずつ給紙部５ａに供給させる。エンジン制御部５０は、供給された用紙を画像形成部５ｃ、定着部５ｄを経て排出トレイ（不図示）まで搬送部５ｂに搬送させる。エンジン制御部５０は、搬送部５ｂより搬送される用紙にのせるトナー像を画像形成部５ｃに形成させ、トナー像を用紙に転写させる。エンジン制御部５０は、用紙に転写されたトナー像を定着部５ｄに定着させる。搬送部５ｂは、印刷済用紙を排出トレイ（不図示）に排出する。
【００２１】
又、複合機１００は、通信部６を含む。通信部６は、ローカルネットワーク内のＰＣのようなコンピューター２００と通信できる。通信部６は、コンピューター２００から画像データのような印刷内容を示すデータと印刷に関する設定を示すデータを含む印刷用データを受信する。主制御部１は、印刷用データに基づく印刷を印刷部５に行わせる。また、通信部６は、ローカルネットワーク外の管理サーバー６０（詳細は後述）と通信できる。
【００２２】
また、複合機１００には、接続部７が設けられる。接続部７は、ＵＳＢメモリーや各種メモリーカードのような携帯型記憶媒体７０を接続するためのインターフェイスである。接続部７に接続された携帯型記憶媒体７０へのデータの書き込みや、携帯型記憶媒体７０に記憶されているデータの読み出しを行うことができる。
【００２３】
（原稿の読み取り）
次に、図１〜図３を用いて、実施形態に係る複合機１００の原稿読み取りを説明する。図２、図３は、実施形態に係る複合機１００の原稿読み取りに関する部分の一例を示す図である。
【００２４】
まず、原稿搬送装置２を説明する。原稿搬送装置２には、原稿搬送制御部２０が設けられる。原稿搬送制御部２０は、ＣＰＵや、制御用のプログラムやデータを記憶するメモリーを含む基板である。原稿搬送制御部２０は、主制御部１、エンジン制御部５０、読取制御部３０と通信可能に接続される。原稿搬送制御部２０は、エンジン制御部５０からの原稿搬送の指示を受け、原稿搬送装置２の動作制御を行う。
【００２５】
原稿搬送装置２は、セットされた原稿を１枚ずつ、自動的、連続的に読み取り位置（送り読取用コンタクトガラス３１）に搬送する。原稿搬送装置２は、原稿搬送方向上流側から順に、原稿トレイ２１、供給ローラー２２、原稿搬送路２３、複数の搬送ローラー対２４、排出ローラー対２４ａ、原稿排出トレイ２５を備える（図３参照）。又、原稿搬送装置２は、画像読取部３に上下方向に開閉自在であり画像読取部３の各コンタクトガラスを上方から押さえるカバーとして機能する。
【００２６】
原稿トレイ２１に用紙が存在する否かを検知するためのセットセンサーＳ１が原稿搬送装置２に設けられる。原稿読取を伴うジョブの実行指示が操作パネル４になされたとき、原稿搬送制御部２０は、セットセンサーＳ１の出力を確認し、原稿トレイ２１に用紙が存在する否かを検知する。原稿トレイ２１に原稿があるとき、原稿搬送制御部２０は搬送モーター２６を駆動させ、原稿搬送に関するローラーを回転させる。
【００２７】
図３に示すように、原稿トレイ２１には、原稿トレイ２１にセットされた原稿を主走査方向で挟むように規制する一対の規制板２１ａが設けられる（図２では一方のみ可視）。また、原稿搬送装置２には、規制板２１ａの位置に応じてセット原稿の主走査方向の幅を検知するための幅検知センサーＳ２が設けられる（図２参照）。
【００２８】
操作パネル４のスタートキー（不図示）が押されると（読取実行入力がなされると）、供給ローラー２２は、原稿トレイ２１にセットされた原稿を原稿搬送路２３に原稿を１枚ずつ送り出す。原稿は、複数の各搬送ローラー対２４に導かれ、送り読取用コンタクトガラス３１の上面側を通過する。この通過の際、画像読取部３が読取を行う。そして、読取が完了した原稿は、排出ローラー対２４ａにより原稿排出トレイ２５に排出される。
【００２９】
一方、画像読取部３には、読取制御部３０が設けられる（図２参照）。読取制御部３０は、ＣＰＵ、メモリー、集積回路などを含む。読取制御部３０は、主制御部１、エンジン制御部５０からの指示、信号を受け、画像読取部３の動作の制御を行う。
【００３０】
図３に示すように、画像読取部３には透明板状の送り読取用コンタクトガラス３１が配される。そして、送り読取用コンタクトガラス３１の右側に、透明板状の載置読取用コンタクトガラス３２が配される。画像読取部３内には、光源３３と、第１ミラー３４ａを支持する第１移動枠３５ａと、第２ミラー３４ｂと第３ミラー３４ｃを支持する第２移動枠３５ｂと、ワイヤー３６ａと、巻取ドラム３６ｂと、レンズ３７と、原稿の反射光に基づき画像データを生成するためのイメージセンサー３８が設けられる。
【００３１】
複数本のワイヤー３６ａが、第１移動枠３５ａ及び第２移動枠３５ｂに取り付けられる（尚、図２では、便宜上、ワイヤー３６ａを１本のみ図示）。又、ワイヤー３６ａの他端は巻取ドラム３６ｂに接続される。巻取ドラム３６ｂは、巻取モーター３６ｃ（図２参照）を駆動源とする。巻取モーター３６ｃの正逆回転により、第１移動枠３５ａと第２移動枠３５ｂを水平方向に自在に移動させることができる。
【００３２】
イメージセンサー３８の各受光素子（各画素）は、反射光のレベル（受光量）に応じたアナログの電気信号（電流、電圧）を出力する。原稿の主走査方向（原稿搬送方向と垂直な方向）にライン単位で読取が行われ、ライン単位の読取を副走査方向（原稿搬送方向）に連続して繰り返し行って、１枚の原稿が読み取られる。
【００３３】
読取制御部３０は、主制御部１やエンジン制御部５０からの読み取り開始の指示に基づき、光源３３を点灯させる。画像データ生成部３９は、イメージセンサー３８によって得られた各画素のアナログ電気信号の補正、増幅、量子化を行って、原稿の画像データを生成する。画像データ生成部３９が生成した画像データは、記憶部１０に転送され、印刷や送信に用いられる。
【００３４】
（固有情報ｉ１）
次に、図２、図４を用いて、実施形態に係る原稿搬送装置２の識別を説明する。図４は、実施形態に係る原稿搬送装置２の識別の流れの一例を示すフローチャートである。
【００３５】
エンジン制御部５０（エンジンメモリー５２）は、管理情報ｉ０を不揮発的に記憶する。管理情報ｉ０は、固有情報ｉ１、カウント値ｉ２、仕様情報ｉ３を含む（図２参照）。固有情報ｉ１は、原稿搬送装置２がどの個体かを識別するための情報である。固有情報ｉ１は、原稿搬送装置２のそれぞれに固有に割り当てられた情報である。例えば、固有情報ｉ１は、原稿搬送装置２に付けられた名前や、原稿搬送装置２に付されたシリアル番号である。固有情報ｉ１は、原稿搬送制御部２０の内部に設けられたＲＯＭにも記憶されている。そこで、図４を用いて、原稿搬送装置２の認識の流れの一例を説明する。
【００３６】
図４のスタートは、複合機１００の電源ＯＮ時や、省電力モードからの復帰時のようなエンジン制御部５０への電力供給の開始又は再開により、エンジン制御部５０が動作する状態となった時点である。なお、エンジン制御部５０が動作している間、一定の周期で図４のフローチャートを実行してもよい。
【００３７】
まず、エンジン制御部５０は、原稿搬送装置２（原稿搬送制御部２０）との通信を開始する（ステップ♯１１）。そして、エンジン制御部５０は、所定時間内に原稿搬送装置２から応答があったか否かを確認する（ステップ♯１２）。原稿搬送装置２から応答がなかったとき（ステップ♯１２のＮｏ）、エンジン制御部５０は、原稿搬送装置２が無い（取り付けられていない）と判断する（ステップ♯１３）。そして、本フローは終了する。
【００３８】
原稿搬送装置２から応答があったとき（ステップ♯１２のＹｅｓ）、エンジン制御部５０は原稿搬送装置２から固有情報ｉ１を取得する（ステップ♯１４）。また、エンジン制御部５０は、エンジンメモリー５２に固有情報ｉ１が記憶されているか否かを確認する（ステップ♯１５）。エンジンメモリー５２に固有情報ｉ１が記憶されていないとき（初めて固有情報ｉ１を取得したとき、ステップ♯１５のＮｏ）、エンジン制御部５０は、不揮発的に固有情報ｉ１をエンジンメモリー５２に記憶させる（ステップ♯１６→エンド）。
【００３９】
エンジンメモリー５２に固有情報ｉ１が記憶されているとき（２回目以降の固有情報ｉ１の取得のとき、ステップ♯１５のＹｅｓ）、エンジン制御部５０は、取得した固有情報ｉ１と記憶している固有情報ｉ１を比較し、同じであるか否かを確認する（ステップ♯１７）。同じとき（ステップ♯１７のＹｅｓ）、エンジン制御部５０は、前から取り付けられている原稿搬送装置２のまま（原稿搬送装置２の交換はない）と判定する（ステップ♯１８→エンド）。一方、同じでないとき（ステップ♯１７のＮｏ）、エンジン制御部５０は、原稿搬送装置２が交換されたと判定する（ステップ♯１９）。そして、エンジン制御部５０は、取得した固有情報ｉ１（交換後の原稿搬送装置２の固有情報ｉ１）への書き換えをエンジンメモリー５２に行わせる（ステップ♯１１０→エンド）。
【００４０】
（カウント値ｉ２）
次に、図２、図５を用いて、実施形態に係る原稿搬送装置２に関するカウント値ｉ２を説明する。図５は、実施形態に係るエンジンメモリー５２に記憶される原稿搬送装置２のカウント値ｉ２の更新の流れの一例を示すフローチャートである。
【００４１】
エンジン制御部５０のエンジンメモリー５２は、原稿搬送装置２がどれだけ使用されたか（使用回数）を示すカウント値ｉ２を記憶する。カウント値ｉ２は、管理情報ｉ０の一部としてエンジンメモリー５２に記憶される（図２参照）。カウント値ｉ２は、搬送した原稿の枚数でもよいし、原稿搬送装置２を用いて実行された原稿読み取りを伴うジョブの実行回数でもよい。エンジン制御部５０は、原稿搬送装置２が使用されるたびにカウント値ｉ２を更新する。カウント値ｉ２は、積算され、原稿搬送装置２が使用されるほど大きな値となる。
【００４２】
図５を用いて、エンジンメモリー５２に記憶されるカウント値ｉ２の更新の流れを説明する。図５のスタートは、操作パネル４のスタートキーの操作により、コピージョブやスキャン送信ジョブのような原稿搬送装置２を用いるジョブが実行された時点である。
【００４３】
まず、エンジン制御部５０は、カウント値ｉ２への加算値を定める（ステップ♯２１）。実行したジョブ回数をカウントする場合、１ジョブにつき加算値は「１」とされる。搬送した原稿の枚数をカウントする場合、搬送した原稿の枚数が加算値とされる。
【００４４】
そして、エンジン制御部５０（エンジンＣＰＵ５１）は、今まで記憶されていたカウント値ｉ２に加算値を加えてカウント値ｉ２を更新する（ステップ♯２２→エンド）。このように、原稿搬送装置２のカウント値ｉ２は、エンジン制御部５０に記憶される。また、エンジン制御部５０は、原稿搬送装置２を用いたジョブが実行されるたびにカウント値ｉ２を積算、更新する。
【００４５】
（管理情報ｉ０のやりとりの概要）
次に、図６を用いて、実施形態に係る複合機１００での管理情報ｉ０（固有情報ｉ１、カウント値ｉ２、仕様情報ｉ３）のやりとりの概要を説明する。図６は、実施形態に係る複合機１００での管理情報ｉ０のやりとりの概要を示す図である。
【００４６】
原稿搬送装置２は、複合機１００の本体とコネクター（不図示）により接続されている。そして、原稿搬送装置２は、コネクターを外して複合機１００から取り外すことができる。これにより、別の画像形成装置に取り付けられていた原稿搬送装置２を新たに複合機１００に取り付けることができる。また、現在、複合機１００に取り付けられている原稿搬送装置２を別の画像形成装置に取り付け、原稿搬送装置２を再利用することもできる。
【００４７】
しかし、カウント値ｉ２は原稿搬送装置２に記憶されていないので、原稿搬送装置２の交換がなされたとき、原稿搬送装置２が新たに取り付けられた画像形成装置は正しいカウント値ｉ２を知ることができない。例えば、別の画像形成装置に取り付けられていた原稿搬送装置２を新たに複合機１００に取り付けた場合、エンジン制御部５０は、新たに取り付けられた原稿搬送装置２のカウント値ｉ２を得なければ、今まで新たに取り付けられた原稿搬送装置２がどれほど使用されてきたか知ることができない。また、現在、複合機１００に取り付けられている原稿搬送装置２を別の画像形成装置に取り付けた場合、別の画像形成装置は、新たに取り付けられた原稿搬送装置２がどれほど使用されてきたか知ることができない。更に、エンジン制御部５０（エンジン基板）が故障や寿命により交換されたとき、取り付けられている原稿搬送装置２のカウント値ｉ２が失われる。
【００４８】
そこで、複合機１００では、エンジンメモリー５２に記憶された管理情報ｉ０を出力できるようになっている。また、複合機１００だけでなく、別の画像形成装置で出力された管理情報ｉ０を取り込めるようになっている。
【００４９】
具体的に、図６に示すように、複合機１００がインターネットのようなグローバルなネットワーク３００を介し、外部に設けられた管理サーバー６０と通信可能であるとき、複合機１００は、管理サーバー６０に管理情報ｉ０を出力できる。これにより、原稿搬送装置２の交換やエンジン制御部５０の交換があったとき、エンジン制御部５０は、管理サーバー６０に記憶されている管理情報ｉ０を得て、取り付けられている原稿搬送装置２の正しいカウント値ｉ２を得られる。複合機１００の製造会社や、複合機１００のメンテナンス会社により、管理サーバー６０が設けられる。管理サーバー６０は、管理対象となる各画像形成装置から管理情報ｉ０を収集、蓄積する。
【００５０】
複合機１００が外部の管理サーバー６０と通信可能ではない場合もある。情報セキュリティの観点から、複合機１００への接続をローカルネットワーク内のコンピューター２００に限っている場合がある。管理サーバー６０と通信できない場合でも、複合機１００は、接続部７に接続されるＵＳＢメモリーのような携帯型記憶媒体７０に管理情報ｉ０を出力できる。また、原稿搬送装置２の交換やエンジン制御部５０の交換があったとき、エンジン制御部５０は、接続部７に接続される携帯型記憶媒体７０から管理情報ｉ０を得て、取り付けられている原稿搬送装置２の正しいカウント値ｉ２を得られる。
【００５１】
（管理サーバー６０との管理情報ｉ０のやりとり）
次に、図７〜図９を用いて、実施形態に係る複合機１００と管理サーバー６０との管理情報ｉ０のやりとりを説明する。図７は、実施形態に係る複合機１００による管理サーバー６０への管理情報ｉ０の送信の流れの一例を示すフローチャートである。図８は、実施形態に係る複合機１００による管理サーバー６０からの管理情報ｉ０の取得の流れの一例を示すフローチャートである。図９は実施形態に係る報知画面８の一例を示す図である。
【００５２】
まず、図７を用いて、複合機１００から管理サーバー６０への管理情報ｉ０の送信の流れの一例を説明する。言い換えると、管理サーバー６０による各原稿搬送装置２の管理情報ｉ０の収集の流れの一例を説明する。
【００５３】
図７のスタートは、予め定められた管理情報送信時である。管理サーバー６０への管理情報ｉ０の送信の場合、予め定められた管理情報送信時は、管理情報ｉ０を送信すると設定された時間（時点）である。管理情報送信時は適宜定めることができる。例えば、１日１回決まった時間、数時間ごと、数十分ごと、原稿搬送を伴うジョブが実行されるごとなど、管理サーバー６０に管理情報ｉ０を送信する時点が予め定められる。
【００５４】
まず、エンジン制御部５０は、管理サーバー６０との通信を通信部６に確立させる（ステップ♯３１）。そして、エンジン制御部５０は、管理サーバー６０に向けて、エンジンメモリー５２に記憶された固有情報ｉ１、カウント値ｉ２、仕様情報ｉ３を含む管理情報ｉ０を通信部６に送信させる（ステップ♯３２）。カウント値ｉ２がどの原稿搬送装置２に対応するカウント値ｉ２であるかを識別するため、固有情報ｉ１がカウント値ｉ２に付される。仕様情報ｉ３は、原稿読み取りに関する複合機１００の仕様（機能）を示す情報である（詳細は後述）。仕様情報ｉ３の内容は適宜定めることができる。
【００５５】
管理サーバー６０は、受信した管理情報ｉ０を記憶する（ステップ♯３２）。管理サーバー６０は、固有情報ｉ１、カウント値ｉ２、仕様情報ｉ３をそれぞれ関連付けて（紐付けて）記憶する。各原稿搬送装置２の管理情報ｉ０は、管理サーバー６０内のＨＤＤのような不揮発性の大容量記憶装置に蓄積される。この管理サーバー６０への管理情報ｉ０の蓄積により、現在複合機１００に取り付けられている原稿搬送装置２を別の画像形成装置に付け替えても、別の画像形成装置に正しいカウント値ｉ２を記憶させることができる。
【００５６】
次に、図８を用いて管理サーバー６０に記憶された管理情報ｉ０に基づくカウント値ｉ２の書き換えの流れを説明する。図８のスタートは、管理サーバー６０に記憶された管理情報ｉ０に基づいてエンジンメモリー５２のカウント値ｉ２の書き換えを行う時点である。具体的に、エンジン制御部５０が原稿搬送装置２の交換を認識したとき（図４のステップ♯１９参照）である。言い換えると、複合機１００の原稿搬送装置２が交換された（付け替えられた）時点である。
【００５７】
また、エンジン制御部５０（エンジン基板）の交換時にも、新しいエンジン制御部５０に原稿搬送装置２の正しいカウント値ｉ２を記憶させる必要がある。そこで、複合機１００では、操作パネル４にカウント値ｉ２の書き換えの指示を行うことができる。そのため、図８のスタートは、管理サーバー６０に記憶された管理情報ｉ０に基づくカウント値ｉ２の書き換えを指示する入力が操作パネル４（タッチパネル部４２やハードキー４３）になされた時点でもある。
【００５８】
まず、エンジン制御部５０は、管理サーバー６０との通信を通信部６に確立させる（ステップ♯４１）。そして、エンジン制御部５０は、取り付けられている原稿搬送装置２に対応する管理情報ｉ０の有無の管理サーバー６０への問い合わせを通信部６に行わせる（ステップ♯４２）。例えば、エンジン制御部５０は、取り付けられている原稿搬送装置２から取得した固有情報ｉ１を通信部６に送信させ、特定の原稿搬送装置２の管理情報ｉ０が管理サーバー６０記憶されているか否かを問い合わせる。
【００５９】
そして、エンジン制御部５０は、管理サーバー６０からの回答に基づき、取り付けられている原稿搬送装置２に対応する管理情報ｉ０にあるか否か（記憶されているか否か）を確認する（ステップ♯４３）。取り付けられている原稿搬送装置２に対応する管理情報ｉ０が記憶されていない回答を受信したとき（ステップ♯４３のＮｏ）、エンジン制御部５０は、カウント値ｉ２をゼロとする更新をエンジンメモリー５２に行わせる（ステップ♯４４）。新品の原稿搬送装置２が取り付けられることもあるためである。そして、本フローは終了する（エンド）。一方、取り付けられている原稿搬送装置２に対応する管理情報ｉ０が管理サーバー６０に記憶されている回答を受信したとき（ステップ♯４３のＹｅｓ）、エンジン制御部５０は管理サーバー６０から取り付けられている原稿搬送装置２に対応する管理情報ｉ０（固有情報ｉ１、カウント値ｉ２、仕様情報ｉ３）を通信部６に取得させる（ステップ♯４５）。
【００６０】
本フローが原稿搬送装置２への交換に起因して開始されている場合、元の画像形成装置が以前に管理サーバー６０とやりとりし、原稿搬送装置２の管理情報ｉ０を管理サーバー６０に送信していたということになる。エンジン制御部５０の交換の場合、複合機１００がもともと定期的に送信し、管理サーバー６０に記憶された管理情報ｉ０が利用される。
【００６１】
そして、エンジン制御部５０は、記憶しているカウント値ｉ２を通信部６が取得した管理情報ｉ０に含まれるカウント値ｉ２に書き換える（ステップ♯４６）。この場合、エンジン制御部５０は、書き換え後のカウント値ｉ２に基づき、カウント値ｉ２と寿命に関する情報を含む報知画面８を操作パネル４（表示パネル４１）に表示させる（ステップ♯４７）。そして、本フローは終了する（エンド）。
【００６２】
図９は、報知画面８の一例を示す。エンジン制御部５０は、取り付けられている原稿搬送装置２の固有情報ｉ１に基づき、原稿搬送装置２の名前やシリアル番号を報知画面８内に表示させる。また、エンジン制御部５０は、書き換えたカウント値ｉ２に基づき、カウント値ｉ２を報知画面８内に表示させる。図９では、報知画面８の左上に原稿を搬送した枚数をカウント値ｉ２として表示する例を示している。また、エンジン制御部５０は、原稿搬送装置２の寿命が尽きたとみなす閾値（枚数）を報知画面８内に表示させる（図９での寿命予想の項目）。閾値は予め定められる値である。閾値は、原稿搬送装置２の耐用に関する実験結果に基づき定めることができる。
【００６３】
また、エンジン制御部５０は、カウント値ｉ２を閾値で除した比率に基づく図形であって、原稿搬送装置２の寿命の残りの目安を示す図形を報知画面８内に表示させる。図９では、報知画面８の左下に配された図形であって、複数の矩形を目盛りとした図形が、寿命の残りの目安を示す図形である。図９では、カウント値ｉ２を閾値で除した比率が８０％程度である例を示している。
【００６４】
また、エンジン制御部５０は、前に原稿搬送装置２が取り付けられていた画像形成装置の仕様と、現在、原稿搬送装置２が取り付けられている画像形成装置の仕様を報知画面８内に表示させる。図９の報知画面８のうち、右半分が仕様に関する表示部分である。
【００６５】
上述したように、管理サーバー６０に送信される管理情報ｉ０には取り付けられている画像形成装置の仕様を示す仕様情報ｉ３が含まれる。そして、原稿搬送装置２の交換を認識したとき、エンジン制御部５０は、管理サーバー６０から取得した管理情報ｉ０に含まれる仕様情報ｉ３（前に取り付けられていた原稿搬送装置２の仕様情報ｉ３）に基づき、前に原稿搬送装置２が取り付けられていた画像形成装置の仕様と、現在、原稿搬送装置２が取り付けられている複合機１００の仕様を操作パネル４に表示させる。なお、自機の仕様情報ｉ３は、エンジン制御部５０に記憶されている。
【００６６】
図９では、原稿搬送装置２が前に取り付けられていた画像形成装置では、両面読み取りが可能という仕様が右下の位置に表示される例を示している。また、図９では、現在、原稿搬送装置２が取り付けられている複合機１００では、片面読み取りが可能という仕様が右上の位置に表示される例を示している。
【００６７】
さらに、エンジン制御部５０は、仕様情報ｉ３に基づき、前に原稿搬送装置２が取り付けられていた画像形成装置と、原稿搬送装置２が取り付けられている現在の画像形成装置の仕様のうち、差異の部分を操作パネル４に強調表示させる。図９では、差異部分の背景色と一致部分の背景色を異ならせることにより、強調表示をする例を示している。なお、強調表示の態様は、通常の表示態様に対する背景色の変更に限らない。文字の点滅、文字の白抜、文字色の変更、文字サイズの変更などによって、通常の表示と異ならせることにより強調表示がなされてもよい。
【００６８】
ここで、複合機１００では、原稿搬送装置２の交換時やエンジン制御部５０の交換時に限られず、任意の時点に報知画面８を表示させることができる。言い換えると、使用回数と寿命に関する情報の表示指示を操作パネル４が受け付けたとき、操作パネル４は、制御部に記憶されるカウント値ｉ２に基づき、現在取り付けられている原稿搬送装置２の使用回数と寿命に関する情報を表示する。
【００６９】
（携帯型記憶媒体７０との管理情報ｉ０のやりとり）
次に、図９、図１０、図１１を用いて、実施形態に係る複合機１００と、携帯型記憶媒体７０との管理情報ｉ０のやりとりを説明する。図１０は、実施形態に係る複合機１００による携帯型記憶媒体７０への管理情報ｉ０の書き込みの流れの一例を示すフローチャートである。図１１は、実施形態に係る複合機１００による携帯型記憶媒体７０から管理情報ｉ０の読み出しの流れの一例を示すフローチャートである。
【００７０】
まず、図１０を用いて、複合機１００から携帯型記憶媒体７０への管理情報ｉ０の書き込みの流れの一例を説明する。
【００７１】
管理サーバー６０と通信できない場合でも、携帯型記憶媒体７０への管理情報ｉ０の書き込み指示を操作パネル４に入力をすることにより、接続部７のソケットに差し込まれた携帯型記憶媒体７０に管理情報ｉ０を記憶させることができる。これにより、管理情報ｉ０を携帯型記憶媒体７０にバックアップすることができる。なお、管理サーバー６０と通信できる場合でも、操作パネル４への指示入力により、携帯型記憶媒体７０に管理情報ｉ０を記憶させることができる。
【００７２】
そして、図１０のスタートは、携帯型記憶媒体７０が接続部７に差し込まれている状態であって、予め定められた管理情報送信時である。携帯型記憶媒体７０に管理情報ｉ０を記憶させる場合、管理情報送信時は、携帯型記憶媒体７０への管理情報ｉ０の書き込み指示が操作パネル４に入力された時点である。
【００７３】
まず、エンジン制御部５０は、接続部７を介し携帯型記憶媒体７０の存在を認識する（ステップ♯５１）。そして、エンジン制御部５０は、エンジンメモリー５２に記憶された固有情報ｉ１、カウント値ｉ２、仕様情報ｉ３を含む管理情報ｉ０の携帯型記憶媒体７０への書き込みを接続部７に行わせる（ステップ♯５２）。書き込まれる管理情報ｉ０は管理サーバー６０に送信する管理情報ｉ０と同様である。携帯型記憶媒体７０は書き込まれた管理情報ｉ０を不揮発的に記憶する（ステップ♯５３）。携帯型記憶媒体７０は、固有情報ｉ１、カウント値ｉ２、仕様情報ｉ３をそれぞれ関連付けて（紐付けて）記憶する。
【００７４】
この携帯型記憶媒体７０への書き込みにより、現在複合機１００に取り付けられている原稿搬送装置２を別の画像形成装置に付け替えても、別の画像形成装置に正しいカウント値ｉ２を記憶させることができる。
【００７５】
次に、図１１を用いて携帯型記憶媒体７０に記憶された管理情報ｉ０に基づくカウント値ｉ２の書き換えの流れを説明する。図１１のスタートは、携帯型記憶媒体７０に記憶された管理情報ｉ０に基づくカウント値ｉ２の書き換えを行う時点である。例えば、サービスマンのような原稿搬送装置２やエンジン制御部５０の交換を行った者により、携帯型記憶媒体７０に記憶された管理情報ｉ０に基づくカウント値ｉ２の書き換えを指示する入力が操作パネル４（タッチパネル部４２やハードキー４３）になされた時点である。また、図１１のスタートは、エンジン制御部５０が原稿搬送装置２の交換を認識したとき（図４のステップ♯１９参照）であってもよい。
【００７６】
そして、図１１のスタートの時点には、携帯型記憶媒体７０が接続部７に差し込まれている。この携帯型記憶媒体７０には、原稿搬送装置２が取り付けられていた元の画像形成装置に記憶される管理情報ｉ０が既に書き込まれている。具体的に、元の画像形成装置のソケットに携帯型記憶媒体７０を差し込み、図１０のフローチャートのような手順で管理情報ｉ０が携帯型記憶媒体７０に書き込みされた後、その携帯型記憶媒体７０が複合機１００の接続部７に差し込まれている。
【００７７】
まず、エンジン制御部５０は、接続部７を介し、携帯型記憶媒体７０の存在を認識する（ステップ♯６１）。そして、エンジン制御部５０は、携帯型記憶媒体７０に記憶されているデータのうち、取り付けられている原稿搬送装置２に対応する管理情報ｉ０が記憶されているか否かを確認する（ステップ♯６２）。具体的に、エンジン制御部５０は、携帯型記憶媒体７０に記憶されているデータのうち、取り付けられている原稿搬送装置２の固有情報ｉ１と一致する固有情報ｉ１を含む管理情報ｉ０を探す。
【００７８】
取り付けられている原稿搬送装置２に対応する管理情報ｉ０が携帯型記憶媒体７０にないとき（ステップ♯６２のＮｏ）、エンジン制御部５０は、カウント値ｉ２をゼロとする更新をエンジンメモリー５２に行わせる（ステップ♯６３）。新品の原稿搬送装置２が取り付けられることもあるためである。そして、本フローは終了する（エンド）。
【００７９】
一方、携帯型記憶媒体７０に取り付けられている原稿搬送装置２に対応する管理情報ｉ０が記憶されているとき（ステップ♯６２のＹｅｓ）、エンジン制御部５０は、携帯型記憶媒体７０から取り付けられている原稿搬送装置２に対応する管理情報ｉ０（固有情報ｉ１、カウント値ｉ２、仕様情報ｉ３）を接続部７に読み出させる（ステップ♯６４）。
【００８０】
そして、エンジン制御部５０は、記憶しているカウント値ｉ２を接続部７が取得したカウント値ｉ２に書き換える（ステップ♯６５）。この場合、エンジン制御部５０は、書き換え後のカウント値ｉ２に基づき、カウント値ｉ２と寿命に関する情報を含む報知画面８を操作パネル４（表示パネル４１）に表示させる（ステップ♯６６）。そして、本フローは終了する（エンド）。表示させる報知画面８は、管理サーバー６０から管理情報ｉ０を取得する場合と同様でよい（図９参照）。
【００８１】
なお、携帯型記憶媒体７０の管理情報ｉ０の内容の書き換えや盗用がなされないように、パスワードを操作パネル４に入力しなければ、管理情報ｉ０を携帯型記憶媒体７０に書き込めないようにしてもよい。また、携帯型記憶媒体７０に記憶させる管理情報ｉ０を暗号化し、操作パネル４に復号のための鍵情報を入力しなければ、携帯型記憶媒体７０かに管理情報ｉ０を読み出せないようにしてもよい。
【００８２】
このようにして、実施形態に係る画像形成装置は、操作パネル４、原稿搬送装置２、制御部（エンジン制御部５０）、通信インターフェイス部（通信部６、接続部７）を備える。操作パネル４は、使用者の操作を受け付け、表示を行う。原稿搬送装置２は、それぞれの原稿搬送装置２に固有に割り当てられた固有情報ｉ１を記憶し、読み取り位置に向けてセットされた原稿を搬送する。画像読取部３は、原稿搬送装置２が搬送する原稿を読み取って画像データを生成する。制御部は、画像形成装置（複合機１００）に取り付けられた原稿搬送装置２と通信を行い、原稿搬送装置２が記憶する固有情報ｉ１に基づき取り付けられている原稿搬送装置２を認識し、取り付けられた原稿搬送装置２の固有情報ｉ１と原稿搬送装置２の使用回数を示すカウント値ｉ２を含む管理情報ｉ０を記憶する。通信インターフェイス部は、通信可能に接続された記憶装置（管理サーバー６０、携帯型記憶媒体７０）と通信するための部分である。制御部は、予め定められた管理情報送信時に記憶装置に向けて管理情報ｉ０を通信インターフェイス部に送信させ、原稿搬送装置２の交換を認識したとき、又は、操作パネル４にカウント値ｉ２の書き換えの指示が入力されたとき、記憶装置から取り付けられている原稿搬送装置２の固有情報ｉ１に対応する管理情報ｉ０を通信インターフェイス部に取得させ、記憶しているカウント値ｉ２を通信インターフェイス部が取得した固有情報ｉ１に含まれるカウント値ｉ２に書き換える。
【００８３】
これにより、現在取り付けられている原稿搬送装置２の管理情報ｉ０のバックアップデータを記憶装置に記憶させておくことができる。そのため、現在、画像形成装置（複合機１００）に取り付けられている原稿搬送装置２を別の画像形成装置に付け替えたとき、別の画像形成装置は、バックアップされた管理情報ｉ０に基づき、取り付けられた原稿搬送装置２の正しいカウント値ｉ２を得られる。また、別の画像形成装置に取り付けられていた原稿搬送装置２への交換が行われたときであって、別の画像形成装置で記憶装置への管理情報ｉ０の記憶が行われているとき、原稿搬送装置２が交換された画像形成装置（複合機１００）は、記憶装置に記憶された管理情報ｉ０を取り込み、現在取り付けられている原稿搬送装置２に対応する管理情報ｉ０を取得できる。これにより、原稿搬送装置２の交換があったとき、原稿搬送装置２のカウント値ｉ２を現在取り付けられている原稿搬送装置２に対応する値（正しい値）に自動的に書き換えることができる。
【００８４】
また、原稿搬送装置２のカウント値ｉ２を記憶する制御部（基板）の交換が行われたとき、操作パネル４にカウント値ｉ２の書き換えの指示を行うだけで、制御部が記憶する原稿搬送装置２のカウント値ｉ２を、現在取り付けられている原稿搬送装置２に対応する値（正しい値）に自動的に書き換えることもできる。
【００８５】
また、カウント値ｉ２の書き換えがなされたとき、操作パネル４は、書き換え後のカウント値ｉ２に基づき、取り付けられている原稿搬送装置２の使用回数と寿命に関する情報を表示する。これにより、交換後の原稿搬送装置２に関する情報を使用者に知らせることができる。例えば、中古の原稿搬送装置２への交換がなされたとき、中古の原稿搬送装置２の寿命を使用者に知らせることができる。しかも、正しい原稿搬送装置２のカウント値ｉ２に基づき使用回数と寿命に関する情報を使用者に示すことができる。
【００８６】
所有する２台の画像形成装置（複合機１００）間での原稿搬送装置２の取り替えが行われる場合がある。そして、画像形成装置（複合機１００）の機種により仕様は異なる場合がある。そこで、管理情報ｉ０には、取り付けられている画像形成装置の仕様情報ｉ３を含める。そして、原稿搬送装置２の交換を認識したとき、制御部は、取得した固有情報ｉ１に含まれる仕様情報ｉ３に基づき、前に原稿搬送装置２が取り付けられていた画像形成装置の仕様と、現在、原稿搬送装置２が取り付けられている画像形成装置の仕様を報知画面８内に表示させる。これにより、原稿搬送装置２が取り付けられていた元の画像形成装置と、新たに原稿搬送装置２が取り付けられた画像形成装置の仕様上（機能上）の差異を使用者に知らせることができる。
【００８７】
また、制御部は、仕様情報ｉ３に基づき、前に原稿搬送装置２が取り付けられていた画像形成装置と、原稿搬送装置２が取り付けられている現在の画像形成装置の仕様のうち、差異の部分を表示パネル４１に強調表示させる。これにより、原稿搬送装置２が取り付けられていた元の画像形成装置と新たに原稿搬送装置２が取り付けられた画像形成装置の仕様上の差異を強調して使用者に知らせることができる。
【００８８】
また、使用回数と寿命に関する情報を含む報知画面８の表示指示を操作パネル４が受け付けたとき、表示パネル４１は、制御部に記憶されるカウント値ｉ２に基づき、報知画面８を表示する。これにより、いつでも確認したいときに、現在取り付けられている原稿搬送装置２の使用回数や寿命に関する情報を表示させることができる。
【００８９】
また、通信インターフェイス部は、ネットワーク３００を介して記憶装置（管理サーバー６０）と通信する通信部６でもよい。ネットワーク３００を介して管理サーバー６０と通信可能である場合、制御部は、管理情報送信時に、管理サーバー６０に向けて管理情報ｉ０を通信部６に送信させ、原稿搬送装置２の交換を認識したとき、又は、操作パネル４にカウント値ｉ２の書き換えの指示が入力されたとき、管理サーバー６０に記憶されている管理情報ｉ０であって取り付けられている原稿搬送装置２に対応する管理情報ｉ０を通信部６に取得させ、記憶しているカウント値ｉ２を通信部６が取得した管理情報ｉ０に含まれるカウント値ｉ２に書き換える。これにより、外部の管理サーバー６０のような記憶装置に管理情報ｉ０を記憶させることができる。
【００９０】
また、通信インターフェイス部は、記憶装置としての携帯型記憶媒体７０が差し込まれる接続部７でもよい。制御部は、管理情報ｉ０の携帯型記憶媒体７０への書き込み指示が操作パネル４に入力されたとき、接続部７に接続された携帯型記憶媒体７０への管理情報ｉ０の書き込みを接続部７に行わせ、原稿搬送装置２の交換を認識したとき、又は、操作パネル４にカウント値ｉ２の書き換えの指示が入力されたとき、接続部７に接続された携帯型記憶媒体７０からの管理情報ｉ０の読み出しを接続部７に行わせ、記憶しているカウント値ｉ２を接続部７が読み出した管理情報ｉ０に含まれるカウント値ｉ２に書き換える。これにより、画像形成装置（複合機１００）がネットワーク通信できない環境のときでも、接続部７にＵＳＢメモリーやメモリーカードのような携帯型記憶媒体７０を接続しておけば、携帯型記憶媒体７０に管理情報ｉ０を記憶させることができる。
【００９１】
なお、本発明は、上述した実施形態に係る２台の複合機１００と、記憶装置（管理サーバー６０、携帯型記憶媒体７０）による画像形成システムの発明として捉えることもできる。具体的に画像形成システムは、第１画像形成装置（１台目の複合機１００）と、第２画像形成装置（２台目の複合機１００）と、記憶装置を含む。そして、第１画像形成装置と第２画像形成装置は、それぞれ、原稿搬送装置２に固有に割り当てられた固有情報ｉ１を記憶し、読み取り位置に向けてセットされた原稿を搬送する原稿搬送装置２と、原稿搬送装置２が搬送する原稿を読み取って画像データを生成する画像読取部３と、画像形成装置に取り付けられた原稿搬送装置２と通信を行い、原稿搬送装置２が記憶する固有情報ｉ１に基づき取り付けられている原稿搬送装置２を認識し、取り付けられた原稿搬送装置２の固有情報ｉ１と原稿搬送装置２の使用回数を示すカウント値ｉ２を含む管理情報ｉ０を記憶する制御部と、記憶装置と通信するための通信インターフェイス部と、を含む。第１画像形成装置の制御部は、予め定められた管理情報送信時に記憶装置に向けて管理情報ｉ０を通信インターフェイス部に送信する。第２画像形成装置の制御部は、原稿搬送装置２の交換を認識したとき、又は、操作パネル４にカウント値ｉ２の書き換えの指示が入力されたとき、記憶装置から取り付けられている原稿搬送装置２の固有情報ｉ１に対応する管理情報ｉ０を通信インターフェイス部に取得させ、記憶しているカウント値ｉ２を通信インターフェイス部が取得した固有情報ｉ１に含まれるカウント値ｉ２に書き換える。
【００９２】
以上、本発明の実施形態を説明したが、本発明の範囲はこれに限定されず、発明の主旨を逸脱しない範囲で種々の変更を加えて実施することができる。
【産業上の利用可能性】
【００９３】
本発明は、原稿搬送装置を備えた画像形成装置に利用可能である。
【符号の説明】
【００９４】
１００  複合機（画像形成装置）          ２      原稿搬送装置
３      画像読取部                      ４      操作パネル
５０    エンジン制御部（制御部）        ６      通信部（通信インターフェイス部）
６０    管理サーバー（記憶装置）        ７      接続部（通信インターフェイス部）
７０    携帯型記憶媒体（記憶装置）      ８      報知画面
ｉ０    管理情報                        ｉ１    固有情報
ｉ２    カウント値                      ｉ３    仕様情報
【図１】
0006465074.tif 000002
【図２】
0006465074.tif 000003
【図３】
0006465074.tif 000004
【図４】
0006465074.tif 000005
【図５】
0006465074.tif 000006
【図６】
0006465074.tif 000007
【図７】
0006465074.tif 000008
【図８】
0006465074.tif 000009
【図９】
0006465074.tif 000010
【図１０】
0006465074.tif 000011
【図１１】
0006465074.tif 000012